(57)【特許請求の範囲】
【請求項１】
酒を外部から吸引して排出する酒サーバーであって、
ポンプ・ケーシングの壁の外面側に温度センサを備えるための収納部を、この収納部の内面側がこのポンプ内を流れる液体にさらされる状態に設けたポンプ、を備えたことを特徴とした酒サーバー。
【請求項２】
収納部が、この収納部周囲の壁より肉薄に形成されたことを特徴とした請求項１記載の酒サーバー。
【請求項３】
収納部は、壁が温度センサを包む形状に形成されて成ることを特徴とした請求項１又は２記載の酒サーバー。
【請求項４】
酒を外部から吸引して排出する酒サーバーであって、
ポンプ・ケーシングの壁の外面側、又は壁の肉厚部内に温度センサを備え、この取り付け箇所の内面側がこのポンプ内を流れる液体にさらされる状態に設けたポンプ、を備えたことを特徴とする酒サーバー。
【発明の詳細な説明】
【０００１】
【発明の属する技術分野】
この発明は、ポンプ内の液体温度を見知するためのポンプを備えた酒サーバーに関する。
【０００２】
【従来の技術】
従来、配管内を流す液体の温度検知に当たっては、配管の壁面に温度センサー用の穴を透設し、配管の外からパッキングなどを介して温度センサーを挿し、直接配管内の液体に触れて温度を検知していた。或いは、配管に設けるのではないが、配管系の中に直列配置或いは並列配置されるタンク、液体の吸引口、排出口その他の要素に、同様の取り付け方で設け、液体に直接触れて温度検知していた。
【０００３】
例えば、酒燗器などの酒サーバーのように一升瓶などから酒を吸引しこの酒を加熱して燗酒として排出したり、或いは冷やして冷酒を排出するものがある。これらは酒の温度制御が重要であるため、配管経路内の所定箇所に温度センサが設けられている。
【０００４】
設ける箇所の一例は酒受けの底部であり、一升びんから供給される酒を容器状の酒受けに溜めた際に、酒受け底部の外側から内側に挿した形態で温度センサを取り付け、ポンプに吸引される前の酒に浸けて吸引温度を検知している。
【０００５】
【発明が解決しようとする課題】
しかし、これら温度センサはその外装が一般にステンレスで作られているために、酒に直接浸けると、温度センサのステンレス外装から鉄分が溶出して酒の劣化を招くこととなる。また酒を長期放置した場合には、酒が酢酸などに変質し、これが温度センサの外装を傷めるなどの問題があった。また酒に限らず、温度センサを直接何等かの液体につけると、浸ける液体の酸性、アルカリ性その他の化学的性質に影響される問題があった。
【０００６】
よって、本発明の目的とするところは、温度センサを配管系の液体に直接浸けることなく温度検知が行え、また液体に温度センサからの鉄分溶出などがなく、温度センサの耐化学性その他の耐久性が維持でき、併せてポンプやこれに近接しているモーターの過熱異常も検知できるポンプを備えた酒サーバーを提供することにある。
【０００７】
【課題を解決するための手段と発明の効果】
以上の課題を解決するため、本願では、酒サーバーに用いるポンプにおいて、ポンプ・ケーシングの壁の外面側に温度センサを備えるための収納部を、この収納部の内面側がこのポンプ内を流れる液体にさらされる状態に設けた（請求項１）。これにより温度センサを収納部に収納することができ、しかも温度センサが液体に触れないので、温度センサが液体により損傷することがなく安全である。また配管などに温度センサ用の穴を設ける必要がなく、ケーシングの収納部に温度センサを備えるだけでよいので構成が簡単になり、水密性に優れる。また、ポンプ内の流れる液体が収納部の内面側に当たるなどするので、単に液体に接触している様な場合に比べると、収納部自体は液体温度に近似した温度に維持され、よって温度検知の精度が上がる。また直接にはポンプのケーシング温度を検知するため、ポンプ、或いはポンプに近接して設置したモーターの異常過熱を検知することができ、これらの事故防止に寄与する。
また、温度センサはポンプ・ケーシングの壁の外面側に備えるほか、壁の肉厚部内に備えたものでもよい（請求項４）。
【０００８】
またこのポンプは、収納部を、この収納部周囲の壁より肉薄に形成した（請求項２）。肉薄にする事により熱伝導を良好にし、よって温度をより正確に検知することができる。これにより液体に直接温度センサ浸けた場合に比べて検知の誤差を小さくすることができ、正確な温度検知ができる。
【０００９】
またこのポンプでは、収納部の壁が、温度センサを包む形状に形成されている（請求項３）。例えば、壁を、温度センサを挿し込むことの出来る凹部形状に形成し、この凹部に挿し込んで設けることができる。その為、温度センサはこれを包む壁により、温度センサの周囲から液体の温度変化を受けることができ、この点でも正確な温度検知が可能になる。
【００１０】
また、以上のポンプを酒サーバーに備えることにより、酒からの化学的影響を受けることがなく、温度センサの耐久性が増す。また、酒サーバーを製造する際に、ポンプの収納部に温度センサを組み付けるなり、或いは、温度センサを備えたポンプを組み合わせるだけでよく、構成と製造が容易になる。
【００１１】
【発明の実施の態様】
次ぎに、本発明の酒サーバーの実施例を図を用いて説明する。
この酒サーバーに用いるポンプは、ダイヤフラムが往復運動することによりポンプ機能を発揮するダイヤフラムポンプ１であり、図１〜図２に示すように片開口した円筒形のケーシング２と、このケーシング２の片開口を蓋をする配置に設けられたダイヤフラム３とが外観上の主な構成になっている。
【００１２】
ケーシング２の底部には吸引口４と排出口５が設けられている。またポンプの内部はケーシング２の内径大の隔壁６が設けられて、ポンプの内部が２つに区分されている。２つの区分は、隔壁６のダイヤフラム側が変容室７となってダイヤフラム３の往復で容積が増減するものであり、また隔壁の吸引口４／排出口５側は吸引口４に連通する吸引室４１と排出口５に連通する排出室５１の２室になっている。また隔壁６には、吸引室４１に対応する箇所に吸引方向の吸引弁４２が、排出室５１に対応する箇所に排出方向の排出弁５２が、チェックバルブにより１つづつ設けられて、図２に示すように液体が流れる。
【００１３】
ケーシング２は合成樹脂製で、底部は底角の一カ所が図３に示すようにポンプの内方へ突き出るような断面Ｕ字状に形成され、収納部８を成している。またこの収納部８は、Ｕ字状に折曲がった折曲がりの内側に温度センサ１００を入れて、収納部８の壁が温度センサ１００を包むようになっている。更にこの収納部８は、収納部周囲の壁より肉薄に形成され、熱伝導を良好にしてある。
【００１４】
この収納部８に温度センサ１００を収納させると、ポンプ１の作動により吸引・排出される液体の温度が検知される。特に、収納部８が肉薄で、しかも収納部８の壁が温度センサ１００を包む形状に形成されているので、温度誤差の少ない検知が可能である。
また、収納部が、図２に示したように排出弁５２に対応した位置に設けられているので、排出弁５２を通過した液体が一旦収納部８のケーシング内面側にぶつかり、これにより収納部８を常に流れる液体にさらす状態となる。そのため、収納部８自体は液体温度に近似した温度に維持され、よって温度検知の精度が上がる。
【００１５】
また図示しないが、このポンプを酒サーバーに用いるに当たっては、従来のポンプと入れ替えるだけでよく、また、酒受けに温度センサが不要となるので構成が簡単になる。
【００１６】
なお、収納部はポンプ・ケーシングの壁の外面側に設けたが、収納部はポンプにあって、液体が接する部分の外面側であればどこに設けてもよい。吸引口、排出口が、図１〜２に示したようにポンプの一部として一体的に突設されているなら、これら吸引口、排出口の外面側も本願の「ポンプ・ケーシングの壁の外面側」に含む。
また、収納部に温度センサを備えるにあたっては、付け外し自在に備えて交換可能にしてもよく、ポンプの一部として固設してもよい。
収納部の形状は自在であり、溝状、穴状、その他どの様であってもよい。
【図面の簡単な説明】
【図１】この図は、実施例に示したダイヤフラムポンプをケーシングの底部側から見た斜視図であり、図中、底角上方に縦溝状の収納部が示され、併せて収納される温度センサが示してある。
【図２】この図は、図１のＡ−Ａ断面図である。
【図３】この図は、図１のＢ−Ｂ断面図である。
【符号の説明】
１  ダイヤフラムポンプ
２  ケーシング
３  ダイヤフラム
４  吸引口
５  排出口
６  隔壁
７  変容室
８  収納部
１００  温度センサ
【図１】
0003564562.tif 000002
【図２】
0003564562.tif 000003
【図３】
0003564562.tif 000004